(57)【要約】【目的】  ノック操作を繰り返しても芯が一定長さに維持される芯繰り出し装置を提供する。【構成】  ノック操作に連動してスライダーが所定距離前進し、芯の前端がストッパーの当接部から離れる状態となるまで芯把持機構は芯を把持し、かつ固定された状態を維持すると共に、この状態からノック操作を更に進めると、ノック操作とともに芯ケースと連動してチャックが前進すると共に芯把持機構が芯の把持を解放し、芯の自重落下により芯がストッパーの当接部に当接し、この状態からノック操作を解除すると、芯ケースとチャックが後退して芯把持機構が芯を把持し固定された後に、スライダーが初期位置まで後退して芯がストッパーの当接部を挿通し、スライダーの前端から芯が一定の長さで突出可能となるように構成された芯繰り出し装置であって、芯挿通前方開口孔以外の箇所で芯ケース内に外気が適宜通気するように通気手段が設けられてなる。【選択図】        図１
2006021327.tif 000002
【特許請求の範囲】
【請求項１】
ノック操作に連動してスライダーが所定距離前進し、芯の前端がストッパーの当接部から離れる状態となるまで芯把持機構は芯を把持し、かつ固定された状態を維持すると共に、この状態からノック操作を更に進めると、ノック操作とともに芯ケースと連動してチャックが前進すると共に芯把持機構が芯の把持を解放し、芯の自重落下により芯がストッパーの当接部に当接し、この状態からノック操作を解除すると、芯ケースとチャックが後退して芯把持機構が芯を把持し固定された後に、スライダーが初期位置まで後退して芯がストッパーの当接部を挿通し、スライダーの前端から芯が一定の長さで突出可能となるように構成された芯繰り出し装置であって、芯挿通前方開口孔以外の箇所で芯ケース内に外気が適宜通気するように通気手段が設けられてなる芯繰り出し装置。
【請求項２】
芯繰り出し装置の外装となる軸筒側面と軸筒内に内装される芯ケースの側面にそれぞれ通気口が形成されてなる請求項１に記載の芯繰り出し装置。
【請求項３】
内蔵芯が漏れないように芯ケースの後端孔が閉塞されると共に、芯ケースの後端孔に外気が通気する通気路が形成されてなる請求項１に記載の芯繰り出し装置。
【発明の詳細な説明】
【技術分野】
【０００１】
本発明は、ノック操作により、筆記具先端から一定長さの芯を突出でき、且つノック操作を繰り返しても、突出した芯が一定長さに維持される芯繰り出し装置、具体的にはシャープペンシルや筆記芯ホルダー等に用いられる芯繰り出し装置の改良に関する。
【背景技術】
【０００２】
【特許文献１】実開昭５５−９９８８７  従来から良く知られているシャープペンシルの構造を図２１に示すと共に、その図に基づいて説明する。  図２１に示すように、軸筒１２３の先方には軸継手１２４を介して、チャック１２５が設置され、このチャック１２５の把持部外周には、締め具１２６が嵌装している。また、チャック１２５の後端に固着した芯ケース１２７と軸継手１２４との間には附勢されたチャックスプリング１２８が設けられている。このチャックスプリング１２８により、チャック１２５が締め具１２６で締め付けられて、芯１２９を把持している。また、軸筒１２３の先端に取付けられた口先部１３０の先端にはスライダー１３１が固定されている。このスライダー１３１は、軸部１３１ａの前方に先端パイプ１３２が、後方にゴム等の弾性材よりなる保持チャック１３３が固定されて、芯１２９は保持チャック１３３を貫通して先端パイプ１３２より突出している。この状態から、芯ケースの上端部に取付けられたノックカバー（図示せず）を押圧（ノック）して、チャック１２５を前進させるとチャック１２５が締め具１２６で締め付けられているため、芯１２９を把持した状態で前進する。そして、締め具１２６の前端が口先部１３０に設けられた段部１３０ａに当接し、更にチャック１２５が前進すると締め具１２６による締め付けが解除される。また更にチャック１２５が前進すると、締め具１２６は段部１３０ａに係止されるため、チャック１２５のみが前進し、チャック１２５の先端部の把持部が拡開する。また、ノックした状態を解除すると、芯１２９は保持チャック１３３に保持された状態で、更にチャック１２５の把持部が拡開した状態で、前記チャック１２５は後退する。そして、締め具２６が軸継手１２４に当接し、締め具１２６の後退が阻止された状態から、チャック１２５は芯１２９の把持を開始する。そして、ノックが終了した時点（初期の状態）でチャック１２５は芯１２９の把持を完了する。
【０００３】
このように、従来良く知られるシャープペンシルは、ノック操作を繰り返す毎に締め具１２６の前端が段部１３０ａに当接し、チャック１２５の把持部が拡開した状態と、締め具１２６の前端が軸継手１２４に当接し、チャック１２５の把持部が把持する状態とを、繰り返すことにより、芯１２９が順次繰り出される。
前記した従来のシャープペンシルにあっては、筆記に伴い芯が消耗するので時々ノック操作をして芯を繰り出す。このノック操作を忘れると、芯が先端パイプ１３２の前端まで摩滅し、筆記が擦れたり、ついには硬い先端パイプの前端で紙を破いてしまうことさえある。一方、必要以上にノック操作をして芯を繰り出し、突出した芯が長すぎる場合があり、芯折れの問題が頻発している。また、筆記中に無意識にノックして芯を出しすぎてしまうこともある。
【０００４】
上述した問題を解決する手段として、ノック操作により、筆記具先端から一定長さの芯を突出でき、且つノック操作を繰り返しても、突出した芯が一定長さに維持される筆記芯ホルダーが実開昭５５−９９８８７号公報に示されている。
この筆記芯ホルダーについて、図２２乃至図２５に基づいて説明する。
図に示すように、軸筒１５１の先端部は、芯を把持するチャック１５３が嵌合するテーパ孔１５２が形成されている。また軸筒１５１の内部には、芯１５５を収納する管状の芯ケース１５４が設けられている。
また、前記チャック１５３の略中間位置に環状突起１５６が形成されている。そして、前記環状突起１５６と芯ケース１５４の間にコイルスプリング１５７を介装すると共に、前記芯ケース１５４の下部に設けられた孔１５４ａ内に、前記チャック１５３の上端が摺動可能に取付けられている。また、前記環状突起１５６と軸筒１５１（テーパ孔１５２）の上面との間にコイルスプリング１５８が介装されている。前記コイルスプリング１５８は、コイルスプリング１５７より反発力が強いばねが用いられている。
また、芯ケース１５４の下部周面に支持腕１５９が固着されている。この支持腕１５９の先端部には、チャック１５３の先端部に嵌合するストッパー１６０が形成されている。  このように構成された筆記芯ホルダーの動作について説明すると、まず、キャップ１６１を外して、芯ケース１５４及びチャック１５３内に筆記芯１５５を投入し、前記キャップ１６１を被せる（図２２参照）。
その後、キャップ１６１をノックすると、芯ケース１５４がコイルスプリング１５７を圧縮しつつ、下方に移動する。この移動に伴い、支持腕１５９も下方に移動し、ストッパー１６０はチャック１５３の先端部から離れる（図２３参照）。なお、このとき、チャック１５３の上端部は芯ケース１５４の孔１５４ａ内を摺動する。そして、更にキャップ１６１をノックすると、芯ケース１５４がコイルスプリング１５８を圧縮しつつ、下方に移動する。この移動に伴い、チャック１５３の先端部（把持部）は拡開し、芯１５５は自重によりストッパー１６０まで落下する（図２４参照）。  
その後、キャップ１６１のノックを解除（解放）すると、コイルスプリング１５７，１５８の反発力で、チャック１５３及び支持腕１５９が初期状態に復帰する。このとき、チャック１５３はテーパ孔１５２に嵌合によって閉じられ、芯１５５を把持する。また、芯１５５がチャック１５３に保持されているため、ストッパー１６０から芯１５５が所定の長さで突出する（図２５参照）。
そして、再び、キャップ１６１をノックすると、芯１５５はチャック１５３に保持されているため、支持腕のみが下方に移動し、図２４に示す状態となり、ノックを解放すると図２５に示す状態となる。
【０００５】
このように、この提案された筆記芯ホルダーにあっては、ノック操作により、筆記具先端から一定長さの芯を突出でき、且つノック操作を繰り返しても、突出した芯を一定長さに維持することができる。
しかしながら、ストッパー１６０を後方に附勢しているコイルスプリング１５７とチャック１５３を後方に附勢しているコイルスプリング１５８とが、チャック１５３の環状突起１５６を挟んで直列に配置された構成となっているので、芯１５５の突出長さが安定しない不具合がある。例えば、ストッパー１６０を附勢しているコイルスプリング１５７の圧縮が進んで附勢力が増し、コレットチャック１５３を附勢しているコイルスプリング１５８の初期附勢力と等しくなった時点で、チャック１５３の移動が始まり、チャック１５３の拡開が始まる。即ち、各部材間での摺動抵抗その他の要因によってチャック１５３の拡開時期が遅れ、芯の突出量が安定しない虞がある。
【０００６】
また、ストッパー１６０を附勢しているコイルスプリング１５７はチャック１５３の拡開が始まった以降も引き続き圧縮されるので、ストッパー１６０は前進を続ける。その結果、芯１５５の突出量を決定するストッパー１６０とチャック１５３先端の距離は離れ続け、芯の突出量が安定しない虞がある。
また、この作動におけるコイルスプリングの附勢力の関係は、ストッパー１６０を後方に附勢しているコイルスプリング１５７の初期附勢力をｘ１、チャック１５３が拡開を開始する時点の附勢力をｘ２、またチャック１５３を後方に附勢しているコイルスプリング１５８の初期附勢力をｙ１とすると、ｘ１＜ｙ１、ｘ２＝ｙ１の関係が成り立つ。
チャック１５３を後方に附勢するコイルスプリング１５８は、ストッパー１６０を後方に附勢するコイルスプリング１５７の附勢力に対して前述の通りの規制（より強い附勢力のコイルスプリング１５８である必要がある）を受けることとなり、その結果、例えば、シャープペンシル等に於いて芯が細い場合、チャックによって芯が破損、損傷を受け、いわゆる食いちぎられ（破損する）、表面の荒れる（損傷する）懸念がある。
また他の作動として、ストッパー１６０を附勢しているコイルスプリング１５７が全圧縮した時点でコレットチャック１５３の拡開が始まる場合は、コイルスプリング１５７の全圧縮時の全長は、線材径のばらつきや、巻き数のばらつき、コイルの密着時の径方向のズレなどにより容易に変化する事が考えられる。
また、この作動におけるスプリングの附勢力の関係は、ストッパー１６０を後方に附勢しているコイルスプリング１５７の初期附勢力をＸ１、全圧縮した時の附勢力をＸ２、またチャック１５３を後方に附勢しているコイルスプリング１５８の初期附勢力をＹ１とすると、Ｘ１＜Ｙ１かつＸ２＜Ｙ１の関係が成り立つ。
この作動においてもチャック１５３を後方に附勢するコイルスプリング１５８は、ストッパー１６０を後方に附勢するコイルスプリング１５７の附勢力に対して前述の通りの規制（より強い附勢力のコイルスプリング１５８である必要がある）を受けることとなり、前記したように、芯が細い場合は、チャック１５３によって芯１５５が食いちぎられ、また荒れが生じる懸念がある。
また、この筆記芯ホルダーでは、加工が非常に困難と思われる部材を用いていることも、この考案を実現するには不具合となっている。
例えば、軸筒１５１について述べると、先端にテーパ孔１５２を設ける他、ストッパー１６０の支持腕１５９を挿通するための通孔１５１ａ（図２３参照）を２箇所設ける必要があり、非常に加工が難しい形状であり、生産性が悪く、非常に高価な部品になることが予想される。
また、支持腕１５９は芯ケース１５４の先端までの長い距離を必要とし、さらに軸筒１５１内を挿通するので、厚み、幅ともに十分には確保できないことが予想される。
また、ストッパー１６０は、支持腕１５９に一体に設けられているが、このような支持腕は、非常に加工が難しい形状であり、生産性が悪く、非常に高価な部品になることが予想される。また、この筆記芯ホルダーは組立も困難であるという不具合がある。例えばチャック１５３を後方に附勢しているコイルスプリング１５８は、チャック１５８の中央部に設けられた環状突起１５６と軸筒１５１の先端内面間に敷設されているが、推察する限りでは組み付け不可能である。
また上記不具合の他、この考案は筆記芯ホルダーと有るように太い芯を突出させるイメージのものであると推察され、細い芯を使用するシャープペンシルの構造に対しては不具合な構造である。例えば、シャープペンシルにあっては、芯が細く、芯折れ防止するため芯を突出する先端部とチャックの間は剛性を配して心ズレが生じないように配慮される必要がある。また、芯折れ防止するため芯の突出長さは短く設定されており、筆記時に先端が容易に視認されるように筆記具の先端はテーパ状に細く形成する必要がある。
【発明の開示】
【発明が解決しようとする課題】
【０００７】
本発明は、芯折れの問題や筆記中に無意識にノックして、芯を繰出してしまう問題を解決するため、ノック操作により筆記具先端から一定長さの芯が突出され、かつノック操作を繰り返しても芯が一定長さに維持される芯繰り出し装置であって、芯の突出長さが安定して行われ、先端が容易に視認されて使い勝手が良く、細い芯であってもチャックの把持部で食いちぎられる虞がない芯繰り出し装置を提供することを目的とする。
また、ノック操作部を最前進して、芯が自重落下によりストッパーの当接部に当接した状態から、ノック操作を解除してノック操作部が後退する際に、チャックが芯把持開放状態から芯把持状態に後退するときに芯とチャックの把持部との摩擦係合で芯を後退側に引きずり込む現象があり、ストッパーの当接部と芯の前端との間に微小な隙間を生じる。この現象はノック操作の繰り返しに対してほぼ一定した隙間状態にあるので、その分を見込むことによって芯の突出量を一定にすることに支障はない。
ところが、その現象とは別に特にノック操作を速く行うと芯が後退側に引き込まれる現象がある。
この現象は、芯把持機構及び芯ケースが急速に戻る際に芯ケース内の空気圧が変動する影響と推察される。
この現象によって、芯がチャックで把持されたときにストッパーの当接部と芯の前端との間にバラツキの大きな隙間を生じ、結果として芯の突出長さが一定しない問題が発生することが確認された。そのことから、本発明は、この現象による問題の解消をさらに課題としている。
【課題を解決するための手段】
【０００８】
上記課題を達成するために本発明の芯繰り出し装置は以下の構成を有する。
ノック操作に連動してスライダーが所定距離前進し、芯の前端がストッパーの当接部から離れる状態となるまで芯把持機構は芯を把持し、かつ固定された状態を維持すると共に、この状態からノック操作を更に進めると、ノック操作とともに芯ケースと連動してチャックが前進すると共に芯把持機構が芯の把持を解放し、芯の自重落下により芯がストッパーの当接部に当接し、この状態からノック操作を解除すると、芯ケースとチャックが後退して芯把持機構が芯を把持し固定された後に、スライダーが初期位置まで後退して芯がストッパーの当接部を挿通し、スライダーの前端から芯が一定の長さで突出可能となるように構成されたことを特徴とする。
【０００９】
また、上述したストッパーは、スライダーの前端近傍の内孔部に設けられて、芯の前端が当接する当接部が形成されてなり、その当接部の前方にスライダーの前端孔部が設けられており、芯の前端が前記当接部に当接して所定の押圧力が懸かったときに当接部を弾性変形して芯が当接部を通過して前端孔部に挿通可能となると共に、ストッパーの当接部後方の内孔部とスライダーの前端孔部が芯径より僅かに大きく設けられている。
【００１０】
上述した問題解決の対象である現象は、芯が太く自重が大きい場合には影響が小さく、芯が細く自重の小さいシャープ芯の場合には影響が大きい。また、芯挿通前方開口孔以外の箇所で芯ケース内に外気が適宜通気するように通気手段を設けられてることによって、この現象が消滅可能となる。などの知見を得、以下のように構成されている。
芯繰り出し装置の外装となる軸筒側面と軸筒内に内装される芯ケースの側面にそれぞれ通気口が形成されている。
内蔵芯が漏れないように芯ケースの後端孔が閉塞されると共に、芯ケースの後端孔に外気が通気する通気路が形成されている。
【発明の効果】
【００１１】
上記課題を達成するためになされた本発明にかかる芯繰り出し装置は、ノック操作により芯把持機構が芯を解放し、ノック操作を解消した時に芯把持機構が芯を把持する芯繰り出し装置において、軸筒の先端に設けられた口先部の先端孔から前後動可能に突出するスライダーが設けられ、スライダーの内孔部に、芯を挿通可能にすると共に所定の押圧力以下では芯の先端が当接して芯の挿通を阻止する弾性変位可能なストッパーが固定されて、前記スライダーはリング継手を介して芯ケースと連動するようにスプリングにより後方に附勢され、前記スライダー後方に芯把持機構が芯を把持する状態で設けられ、ノック操作を開始すると、芯把持機構は芯を把持した状態を維持し、リング継手を介して芯ケースと連動してスライダーが前進し、スライダーが最前進して前進を阻止された状態で芯の前端がストッパーの当接部から適宜後方に離れる状態となり、更にノック操作が進むと、芯ケースのみが前進すると共に芯把持機構が芯を解放し、芯の自重落下により芯がストッパーの当接部に当接し、ノック操作の解消時にはスライダーが最前進した位置を維持しながら芯把持機構が芯を把持した後、スライダーが初期位置まで後退して芯がストッパーの当接部を挿通し、スライダーの前端から芯が所定の長さで突出する。
このように構成される芯繰り出し装置であっても、基本的には芯が所定長さで突出でき、突出長さを安定させることが可能である。
【００１２】
また、芯が自重落下によりストッパーの当接部に当接した状態から、ノック操作を解除してノック操作部が後退する際に、チャックが芯把持開放状態から芯把持状態に後退するときに芯とチャックの把持部との摩擦係合で芯を後退側に引きずり込む現象があるが、上述したようにこの現象とは別に芯が後退側に引き込まれる現象がある。
この後者の現象によって、芯がチャックで把持されたときにストッパーの当接部と芯の前端との間にバラツキの大きな隙間を生じ、結果として芯の突出長さが一定しない問題が存在し、芯ケース内に外気が適宜通気するように通気手段を設けることによって問題が解消可能となる。
【発明を実施するための最良の形態】
【００１３】
本発明の実施形態について図面を参照して説明する。図１乃至図５は本発明の第１の実施形態にかかる芯繰出し装置を示している。
この第１の実施形態である芯繰出し装置は、図１に示すように、軸筒１、口先部２、スライダー３、芯把持機構６、芯ケース１４、ノックカバー１８等の部品あるいは部品ユニットから構成されている。
【００１４】
図に示されるように、固定筒１０は、外径方向に略矩形状に突出した鍔部１０ａを有し、その鍔部１０ａ後方の円筒状の両側部にリブ状のガイド部（図示せず）が形成され、鍔部１０ａの前端には細径の先筒部１０ｂが形成されている。この先筒部１０ｂの内孔には、締め部として締めリング８が係止や圧入等の手段によって固定されている。
前記締めリング８は筆記具の全体を細くするなどの設計都合によって薄肉の金属製の筒体で形成されるが、本発明の構成としては必ずしも必要ではなく、先筒部１０ｂの内孔締め部として一体に形成することもできる。
チャック７は、通常のシャープペンシルに使用されるチャックと同じであり、把持部７ａの外周には二つ割または三つ割のスリットが形成され、拡縮可能に形成されている。
把持機構６は次のように形成されている。
チャック７を固定筒１０に固定した締めリング８に挿通し、把持部７ａの外周を締めリング内周に係合させると共に、固定筒１０の後方からチャック７の後方軸部外周にチャックスプリング１１を装着し、固定筒１０の前方に形成された内段部にチャックスプリング１１の前端を当接させ、チャックスプリング１１の後端をチャック継手１２の軸部１２ａの前端に当接させた状態で、チャック７の後端部をチャック継手１２の軸部１２ａに設けられた係止孔に係止や圧入等の手段によって固着させて、固定筒１０に対しチャック継手１２が前後動するように形成されている。
【００１５】
次に、スライダー３について説明する。
スライダー３は、図に示すように後部材５、先部材４、ガイドパイプ４ｂ、ストッパー４ａから構成されている。  
このスライダー３は、細径の先部材４の内孔の略前端に弾性体よりなるストッパー４ａが装着されている。そして、このストッパー４ａの後端を押さえるようにガイドパイプ４ｂの前方部が先部材４の内孔に固定されている。
一方、後部材５は、前端に細径の軸部５ｂ、段部５ｃを介してその後方に大径の筒部が形成されると共に筒部の側面には後端に開口した窓部が２箇所以上で設けられ、窓部で囲まれた部分が脚部５ａとして形成されている。
この後部材５の軸部５ｂに形成された孔部に先部材４の後方軸部外周が挿入固定されてスライダー３が形成されている。
尚、スライダー３は、ガイドパイプ４ｂの内孔とストッパー４ａ内孔を通じて芯が挿通するが、所定の押圧力以下では芯の先端がストッパー４ａの当接部４ｃに当接して、芯が挿通しないように構成されている。このストッパー４ａは、基本的には弾性変位可能なゴムや軟質の合成樹脂等の材質で形成されている。
【００１６】
次に、本発明の全体の構成について説明する。
軸筒１の前端部外周には螺子部が形成され、前端部内周にはリブ状のガイド部（図示せず）が形成されている。また、螺子部の後方に所要箇所で孔１ａが穿設されている。
先ず、軸筒１の前端に固定筒１０の鍔部１０ａの後端を当接させた状態で上述した芯把持機構６が軸筒１の前方から挿入され、鍔部１０ａ後方のリブ状のガイド部が軸筒１のリブ状のガイド部に係合して、軸筒１に対して固定筒１０は回転止めされる。
続いて上述したスライダー３が軸筒１の前方から挿入される。このとき、後部材５の窓部に固定筒１０の鍔部１０ａの矩形状両側面が嵌入した状態で挿入される。
また、後部材５の段部５ｃに後端を当接させた状態でスプリング９が装着され、軸筒１前端の螺子部に螺合して口先部２が固定される。その際、先部材４の前方部が口先部２の前端孔から適宜長さで突出すると共に、スプリング９の前端が口先部２の内孔前方に設けられた段部に当接し、固定筒１０の鍔部１０ａが軸筒１の前端と口先部の後方に設けられた段部との間に狭窄されて軸筒１に対して固定筒１０の固定状態が完了する。
また、この状態でスライダー３はスプリング９によって後方側に附勢されると共に、スプリング９の附勢力に抗して前方側に可動可能となされている。
【００１７】
また芯ケース１４は、図に示すように長い筒状体で、前方外周に鍔状の段部１４ａを有し、その段部の前方に所要箇所で孔１４ｃが穿設され、更に前方に所要箇所でスリットを設けて弾性片が形成され、その弾性片の前端外周にテーパー状前面とその後面に段部を備えた係止部１４ｂが形成されている。
この段部１４ａの前端に後端を当接させた状態で芯ケース前方外周にリターンスプリング１５が装着され、続けて芯ケースの前端から係止部１４ｂを縮径した状態に弾性変形させてリング継手１３が装着され、リング継手１３の前端が係止部１４ｂの段部に係合して前記リターンスプリング１５が適宜圧縮された状態で敷設される。
芯ケース１４は軸筒１の後方から挿入され、前記リング継手１３の前方外周が後部材５の後端内周に嵌挿し、やや大きめに形成された後方外周の前端が後部材５の後端に当接状態となり、更に芯ケース１４の係止部１４ｂが後部材５の窓部に嵌入した状態となる。
また、芯ケース１は、後端外周と軸筒１の内周との間にリブや溝を設けて係合させるなどの手段で、軸筒１に対して芯ケース１４が前後動自在で回転止めされるようになされ、また、芯ケース１４の後端が後述する回転筒体１７の前端に当接して芯ケース１４が後方に離脱しないなどの手段が設けられている。
【００１８】
軸筒１の後端孔内周には螺子部が形成され、そこに回転筒体１７が螺合され（図示せず）、上述した芯ケース１４の後端に回転筒体１７の前端が当接される。回転筒体１７は、軸筒１の後端に突出した摘み部１７ａを有し、この摘み部１７ａを回動することによって軸筒１に対して前後動するが、軸筒１の螺子部に螺合する螺子部の上部にＯリング（ゴムや軟質合成樹脂製の弾性体など）が止着されており、軸筒の孔部内周に対して適宜な摩擦抵抗によって不用意に回動しないように配慮されている。
芯ケース１４の後端に回転筒体１７の前端が当接された状態から、筒状の消しゴム受け体１６が回転筒体１７の後端から挿入され、その前方の軸部１６ｂが芯ケース１４の後端孔に相互間が回転止めされた状態で固定される。
ところで、回転筒体１７の内孔周面にはリブが形成され（図示せず）、また消しゴム受け体１６の軸側面にリブ１６ａが形成されており、回転筒体１７をほぼ一回転回動したときに、相互のリブが当接して回動が阻止されるように回動が規制されている。このほぼ一回転の回動で前後動する回転筒体１７に連動して芯ケース１４は前後動することになる。  尚、回転筒体を回動規制する手段は上述した実施形態に限らず設けることが可能であり、回動範囲も一回転に限るものではない。また基本的には、芯ケース１４を適宜範囲で前後動させる調節機構は様々な手段で設けることが可能である。
また、消しゴム受け体１６後端の軸部１６ｃの孔部に消しゴム１９が着脱可能に止着され、軸部１６ｃの外周にノックカバー１８が着脱可能に止着されている。
【００１９】
次に、図１〜図５に基づいて、第１の実施形態の芯繰り出し装置の動作を説明する。
また、図６は先部材の構造を拡大して示している。
まず、図１及び図２はスライダーの先部材４の前端に芯２１の前端がやや突出した作動初期の状態を示している。
この状態からノックカバー１８をノックして芯ケース１４を前進させ、スプリング９を圧縮して、スライダー３を前進させる。（スプリング９の附勢力に対して、芯ケースの段部１４ａとリング継手１３の後端との間に設けられたリターンスプリング１５の附勢力が十分強く設定されている。）
図３に示すように、前進によってスライダーの後部材５に設けられた段部５ｃが口先部２の内段部２ａに当接する。この状態までリターンスプリング１５は敷設された状態を維持している。
また、芯把持機構６は静止した状態を維持し、芯２１を把持しているので、芯２１の前端は先部材４の前端から没入し、ストッパー４ａの当接部４ｃに位置した状態となる。
【００２０】
図４に示すように、スライダー３の前進が阻止された状態からノック操作によって芯ケース１４がさらに前進すると、リターンスプリング１５を圧縮しながら芯ケース１４が前進し、芯ケース１４の係止部１４ｂ前端がチャック継手１２の後端に当接状態となる。
【００２１】
また図５に示すように、芯ケース１４の係止部１４ｂ前端がチャック継手１２の後端に当接した状態からノック操作によって芯ケース１４がさらに前進すると、チャックスプリング１１圧縮してチャック継手１２と伴にチャック７が前進し、把持部７ａの外周が締めリング８の締め付けから開放されて芯２１の把持が解除される。
そして、芯２１の把持が開放されると、芯２１は自重で落下して、芯２１の前端がストッパー４ａの当接部４ｃに当接した状態となる。当接部４ｃにかかる所定の押圧力は、最小で当接部４ｃへの芯の自重による当接力である。
その状態からノック操作を解除して、芯ケース１４を後退させると、スライダー３が最前進位置に保持されたまま、芯ケース１４とチャック継手１２が後退し、再び芯２１が把持される。また、その状態からリターンスプリング１５の圧縮状態が解除され、初期の敷設状態に戻り、その時点からスライダー３が後退可能となる。また、それと共にスプリング９の復帰力によって芯ケース１４と伴にスライダー３が後退して初期の状態に戻る。
以上の動作から解るように、先部材４の前端から突出する芯２１の長さ（突出量）は、基本的には後部材５の段部５ｃが口先部２の内段部２ａに当接する間隔（以下Ａ寸法と呼ぶ）から先部材４の前端とストッパー４ａの当接部４ｃとの間隔（以下Ｂ寸法と呼ぶ）を差し引いた長さである。
【００２２】
以上のように、本発明の芯繰り出し装置は、ノック操作により芯が一定長さで筆記具先端から突出され、且つノック操作を繰り返しても芯が一定長さに維持されるので、芯折れの問題や筆記中に無意識にノックして芯を繰り出してしまう問題が無く、先端が容易に視認されて使い勝手が良く、細い芯であってもチャックの把持部によって、芯が破損、損傷を受ける懸念がない。
しかしながら、上記Ａ寸法やＢ寸法は部品の精度誤差等によってバラツキがあり、従って芯の突出量は個々の芯繰出し装置によってバラツキがある。
芯の突出量を一定とするための手段は何通りかあるが、Ａ寸法を調節するのがもっとも容易であると思われる。その具体的な手段として、上述したように回転筒体１７の摘み部１７ａを回動することによって芯ケース１４を前後動し、それと連動してＡ寸法を調節することができ、芯の突出量を一定とすることが可能となる。
また芯の突出量は、芯の種類（芯径、硬度、色など）や芯繰出し装置を使用する人の好みによって異なるのでそのような調節機構が必要である場合と、芯の突出量が適正な状態で固定化されるのが望ましい場合とあり、それぞれニーズに合わせて提供可能である。
【００２３】
また、上述したように、ノック操作部を最前進して、芯が自重落下によりストッパー後端に当接した状態から、ノック操作を解除してノック操作部が後退する際に、チャックが芯把持開放状態から芯把持状態に後退するときに芯とチャックの把持部との摩擦係合で芯を後退側に引きずり込む現象があり、ストッパーの後端と芯の前端との間に微小な隙間を生じる。この現象はノック操作の繰り返しに対してほぼ一定した隙間状態にあるので、その誤差分を見込むことによって芯の突出量を一定にすることに支障はない。即ち、厳密には、芯の突出量は、Ａ寸法からＢ寸法と誤差分を差し引いた長さとなる。
また更に、上述したように、更にその現象とは別に芯が後退側に引き込まれる現象がある。  この現象によって、芯がチャックで把持されたときにストッパーの後端と芯の前端との間にバラツキの大きな隙間を生じ、結果として芯の突出長さが一定しない問題が確認された。そのことから、本発明は、この現象による問題を解消するために、軸筒１の側面に孔１ａを穿設し更に芯ケース１４の側面に孔１４ｃを穿設することによって芯ケース内に外気が適宜通気されることによって、この現象によるバラツキが解消可能となった。
また、リング継手１３の後方外周に所要箇所で溝１３ａを設けているが、これは軸筒１の孔１ａから芯ケース１４の孔１４ｃへの通気流路を十分確保するために設けられたものである。
【００２４】
図７乃至図１２は本発明の第２の実施形態にかかる芯繰出し装置を示している。
この第２の実施形態である芯繰出し装置は、図６に示すように、軸筒３０、口先部２、スライダー３、芯把持機構６、芯ケース３２、ノックカバー３４等の部品あるいは部品ユニットから構成されている。
この第２の実施形態である芯繰出し装置は、第１の実施形態である芯繰出し装置とほぼ同じ構成であり、以下相違点のみ説明する。
芯把持機構６及び芯ケース３２が急速に戻る際に芯ケース内の空気圧が変動する影響と推察される芯の引き込み現象に対して、当該実施形態は、消しゴム受け体３３後端の軸部３３ａの内孔部に溝状の通気路３３ｂを形成すると共に、軸部３３ａに止着されるノックカバー３４の側面に孔３４ａを穿設して、芯ケース内に外気が適宜通気されることによって、この現象による芯がチャックで把持されたときにストッパーの後端と芯の前端との間にバラツキの大きな隙間を生じる問題が解消され、結果として芯の突出量を一定とすることが可能となる。
【００２５】
図１３乃至図２０は本発明の第３の実施形態にかかる芯繰出し装置を示している。
この第３の実施形態である芯繰出し装置は、図１３に示すように、前軸４０と後軸４１を螺合してなる軸筒、口先部２、スライダー３、芯把持機構６、芯ケース４２、ノックカバー１８等の部品あるいは部品ユニットから構成されている。
この第３の実施形態である芯繰出し装置も第１の実施形態である芯繰出し装置とほぼ同じ構成であり、以下相違点のみ説明する。
軸筒が前軸４０と後軸４１を螺合により接続して設けられ、その接続部に外気と軸筒内を通気する通気口４３が形成され、この通気口４３から芯ケース４２前端のスリット部４２ａを通じて芯ケース内に外気が適宜通気されることによって、この現象による芯がチャックで把持されたときにストッパーの後端と芯の前端との間にバラツキの大きな隙間を生じる問題が解消され、結果として芯の突出量を一定とすることが可能となる。
尚、芯ケース内を外気と通気する手段は上述した実施形態だけに限定されない。
【００２６】
上述した実施形態の芯繰り出し装置をあらためて概説すると、
ノック操作部の所定距離前進まで芯把持機構は芯を把持し、かつ固定された状態を維持すると共に、ノック操作部と連動してスライダーが前進して芯の前端がストッパーの当接部から離れる状態となり、ノック操作部を前記所定距離から更に前進すると、ノック操作部とともに芯ケースと連動してチャックが前進すると共に芯把持機構が芯の把持を解放し、芯の自重落下により芯がストッパーの当接部に当接し、ノック操作を解除してノック操作部の後退時には、チャックが後退して芯把持機構が芯を把持した後に、芯ケースとともにスライダーが初期位置まで後退して芯がストッパーの当接部を挿通し、スライダーの前端から芯が一定の長さで突出可能となるように構成された芯繰り出し装置であって、芯挿通前方開口孔以外の箇所で芯ケース内に外気が適宜通気するように通気手段が設けられてなる芯繰り出し装置。となる。
しかしながら、ノック操作部とスライダーを直接連動するように設け、また、ノック操作部と芯ケースを一体や連動するように設けて、スライダーと芯ケースが間接的な連動関係となるようになすこともできる。
また、上述した実施形態に於いて、ノック操作部が芯ケースの後端に一体化されているが、ノック操作部は軸筒の側面にノック釦として設けることもできる。また、指によってノック操作するようになされているが、重り等によるハンマー作用や電動等の作動力を使用してノック操作を可能とすることもできる。
【図面の簡単な説明】
【００２７】
【図１】本発明の第１の実施形態である芯繰り出し装置の初期状態に於ける芯繰り出し装置全体を示す縦断面図である。
【図２】第１の実施形態である芯繰り出し装置の初期状態に於ける芯繰り出し装置前方部を示す断面図である。
【図３】第１の実施形態である芯繰り出し装置のノック前進初段階に於ける芯繰り出し装置前方部を示す断面図である。
【図４】第１の実施形態である芯繰り出し装置のノック前進中段階に於ける芯繰り出し装置前方部を示す断面図である。
【図５】第１の実施形態である芯繰り出し装置のノック前進最終段階に於ける芯繰り出し装置前方部を示す断面図である。
【図６】スライダー前端の先部材の内部構造を拡大して示した断面図である。
【図７】本発明の第２の実施形態である芯繰り出し装置の初期状態に於ける芯繰り出し装置全体を示す縦断面図である。
【図８】第２の実施形態である芯繰り出し装置の初期状態に於ける芯繰り出し装置前方部を示す断面図である。
【図９】第２の実施形態である芯繰り出し装置のノック前進初段階に於ける芯繰り出し装置前方部を示す断面図である。
【図１０】第２の実施形態である芯繰り出し装置のノック前進中段階に於ける芯繰り出し装置前方部を示す断面図である。
【図１１】第２の実施形態である芯繰り出し装置のノック前進最終段階に於ける芯繰り出し装置前方部を示す断面図である。
【図１２】通気路部位を示す断面斜視図である。
【図１３】本発明の第３の実施形態である芯繰り出し装置の初期状態に於ける芯繰り出し装置全体を示す縦断面図である。
【図１４】第３の実施形態である芯繰り出し装置の初期状態に於ける芯繰り出し装置前方部を示す断面図である。
【図１５】第３の実施形態である芯繰り出し装置のノック前進初段階に於ける芯繰り出し装置前方部を示す断面図である。
【図１６】第３の実施形態である芯繰り出し装置のノック前進中段階に於ける芯繰り出し装置前方部を示す断面図である。
【図１７】第３の実施形態である芯繰り出し装置のノック前進最終段階に於ける芯繰り出し装置前方部を示す断面図である。
【図１８】軸筒の接続部を示す断面斜視図である。
【図１９】芯ケースの搬断面図である。
【図２０】芯ケースの外観を示す斜視図である。
【図２１】従来のシャーペンシルの一般的な芯繰り出し装置の断面図である。
【図２２】実開昭５５−９９８８７で提案されている筆記芯ホルダーの断面図である。
【図２３】図２２に示した筆記芯ホルダーの動作状態を示す断面図である。
【図２４】図２２に示した筆記芯ホルダーの動作状態を示す断面図である。
【図２５】図２２に示した筆記芯ホルダーの動作状態を示す断面図である。
【符号の説明】
【００２８】
１          軸筒
１ａ        孔
２          口先部
２ａ        内段部
３          スライダー
４          先部材
４ａ        ストッパー
４ｂ        ガイドパイプ
４ｃ        当接部
５          後部材
５ａ        脚部
５ｂ        軸部
５ｃ        段部
６          芯把持機構
７          チャック
７ａ        把持部
８          締めリング
９          スプリング
１０        固定筒
１０ａ      鍔部
１０ｂ      先筒部
１１        チャックスプリング
１２        チャック継手
１２ａ      軸部
１３        リング継手
１３ａ      溝
１４        芯ケース
１４ａ      段部
１４ｂ      係止部
１４ｃ      孔
１５        リターンスプリング
１６        消しゴム受け体
１６ａ      リブ
１６ｂ      軸部
１６ｃ      軸部
１７        回転筒体
１７ａ      摘み部
１８        ノックカバー
１９        消しゴム
２０        Ｏリング
２１        芯
３０        軸筒
３１        リング継手
３２        芯ケース
３３        消しゴム受け体
３３ａ      軸部
３３ｂ      溝状の通気路
３４        ノックカバー
３４ａ      孔
４０        前軸
４１        後軸
４２        芯ケース
４２ａ      スリット部
４３        通気口
１２３      軸筒
１２４      軸継手
１２５      チャック
１２６      締め具
１２７      芯ケース
１２８      チャックスプリング
１２９      芯
１３０      口先部
１３０ａ    段部
１３１      スライダー
１３１ａ    軸部  
１３２      先端パイプ
１３３      保持チャック
１５１      軸筒
１５１ａ    通孔
１５２      テーパー孔
１５３      チャック
１５４      芯ケース
１５４ａ    孔
１５５      芯
１５６      環状突起
１５７      コイルスプリング
１５８      コイルスプリング
１５９      支持腕
１６０      ストッパー
１６１      キャップ
【図１】
2006021327.tif 000003
【図２】
2006021327.tif 000004
【図３】
2006021327.tif 000005
【図４】
2006021327.tif 000006
【図５】
2006021327.tif 000007
【図６】
2006021327.tif 000008
【図７】
2006021327.tif 000009
【図８】
2006021327.tif 000010
【図９】
2006021327.tif 000011
【図１０】
2006021327.tif 000012
【図１１】
2006021327.tif 000013
【図１２】
2006021327.tif 000014
【図１３】
2006021327.tif 000015
【図１４】
2006021327.tif 000016
【図１５】
2006021327.tif 000017
【図１６】
2006021327.tif 000018
【図１７】
2006021327.tif 000019
【図１８】
2006021327.tif 000020
【図１９】
2006021327.tif 000021
【図２０】
2006021327.tif 000022
【図２１】
2006021327.tif 000023
【図２２】
2006021327.tif 000024
【図２３】
2006021327.tif 000025
【図２４】
2006021327.tif 000026
【図２５】
2006021327.tif 000027